(57)【特許請求の範囲】
【請求項１】
シート部材と、該シート部材の裏面に改質アスファルトで形成された改質アスファルト層とを備えた帯状の防水シートであって、
施工時、前記防水シートの前記改質アスファルト層を施工面の側に位置させると共に、隣接する防水シートの長手方向の端部と端部とを重ね、前記防水シートを前記施工面に固着させ、その後、前記防水シートの上に塗膜防水材を塗布して被覆する防水シートのラップ接合方法であって、
前記防水シートの前記シート部材は、合成繊維、ガラス繊維、ＰＥＴフィルムの内の１種又は２種以上の組み合わせからなるものであり、
前記継ぎ目に位置する隣接する前記防水シートの長手方向の端部と端部は、何れも前記防水シートの長手方向に沿って前記改質アスファルト層が施工前から欠落し、前記シート部材が露出しているものである
ことを特徴とする防水シートのラップ接合方法。
【請求項２】
シート部材と、該シート部材の裏面に改質アスファルトで形成された改質アスファルト層とを備えた帯状の防水シートであって、
施工時、前記防水シートの前記改質アスファルト層を施工面の側に位置させると共に、隣接する防水シートの長手方向の端部と端部とを重ね、前記防水シートを前記施工面に固着させ、前記防水シートの長手方向の端部と端部との重ね部の上面の継ぎ目を帯状部材で覆い、その後、前記防水シートの上に塗膜防水材を塗布して被覆する防水シートのラップ接合方法であって、
前記防水シートの前記シート部材は、合成繊維、ガラス繊維、ＰＥＴフィルムの内の１種又は２種以上の組み合わせからなるものであり、
前記継ぎ目に位置する隣接する前記防水シートの長手方向の端部と端部は、何れも前記防水シートの長手方向に沿って前記改質アスファルト層が施工前から欠落し、前記シート部材が露出しているものであり、
前記帯状部材は、前記塗膜防水材が透過する複数の開口部を備え、前記複数の開口部に前記塗膜防水材が侵入して固化している
ことを特徴とする防水シートのラップ接合方法。
【請求項３】
シート部材と、該シート部材の裏面に改質アスファルトで形成された改質アスファルト層とを備えた帯状の防水シートであって、
前記防水シートの前記シート部材は、合成繊維、ガラス繊維、ＰＥＴフィルムの内の１種又は２種以上の組み合わせからなるものであり、
前記防水シートの長手方向の両端部は、前記防水シートの長手方向に沿って前記改質アスファルト層が欠落し、前記シート部材が露出している
ことを特徴とする防水シート。
【発明の詳細な説明】
【技術分野】
【０００１】
本発明は、防水シート及び防水シートのラップ接合方法に係り、特に、継ぎ目の段差を小さくすることができる防水シート及び防水シートのラップ接合方法に関する。
【背景技術】
【０００２】
従来の防水施工方法は、例えば、上面が合成繊維であるシート部材、該シート部材の裏面に改質アスファルトで形成された改質アスファルト層を備えた帯状の防水シートであって、前記改質アスファルト層を施工面の側に位置させると共に、隣接する防水シートの長手方向の端部と端部とを重ね、前記防水シートを前記施工面に固着させ、前記防水シートの長手方向の端部と端部との重ね部の上面の継ぎ目をラップテープで覆い、その後、防水シートの上に塗膜防水材を塗布して被覆するようにしている。
【発明の開示】
【発明が解決しようとする課題】
【０００３】
しかしながら、上述した防水施工方法にあっては、継ぎ目に防水シートの厚み分の段差が生じ平滑さが得られず、比較的薄い塗膜で防水しようとする塗膜防水にあっては、忌避要素となるものであり、例えば、継ぎ目の段差分、「より厚く」塗膜防水材を塗布しなければならず、場合により、継ぎ目のラインが生じる不具合が生じる。
また、上記ラップテープは継ぎ目より改質アスファルト層のアスファルトがブリード（染み出し）することを防止するもので、そのため、塗膜防水材が透過せず、継ぎ目に塗膜防水材が接合されず、強度的にも弱いという問題点もあった。
本発明は、上記問題点を除去するようにした防水シート及び防水シートのラップ接合方法を提供するものである。
【課題を解決するための手段】
【０００４】
上記目的を達成するために、請求項１記載の防水シートのラップ接合方法は、シート部材と、該シート部材の裏面に改質アスファルトで形成された改質アスファルト層とを備えた帯状の防水シートであって、施工時、前記防水シートの前記改質アスファルト層を施工面の側に位置させると共に、隣接する防水シートの長手方向の端部と端部とを重ね、前記防水シートを前記施工面に固着させ、その後、前記防水シートの上に塗膜防水材を塗布して被覆する防水シートのラップ接合方法であって、前記防水シートの前記シート部材は、合成繊維、ガラス繊維、ＰＥＴフィルムの内の１種又は２種以上の組み合わせからなるものであり、前記継ぎ目に位置する隣接する前記防水シートの長手方向の端部と端部は、何れも前記防水シートの長手方向に沿って前記改質アスファルト層が施工前から欠落し、前記シート部材が露出しているものである。
【０００５】
また、請求項２記載の防水シートのラップ接合方法は、シート部材と、該シート部材の裏面に改質アスファルトで形成された改質アスファルト層とを備えた帯状の防水シートであって、施工時、前記防水シートの前記改質アスファルト層を施工面の側に位置させると共に、隣接する防水シートの長手方向の端部と端部とを重ね、前記防水シートを前記施工面に固着させ、前記防水シートの長手方向の端部と端部との重ね部の上面の継ぎ目を帯状部材で覆い、その後、前記防水シートの上に塗膜防水材を塗布して被覆する防水シートのラップ接合方法であって、前記防水シートの前記シート部材は、合成繊維、ガラス繊維、ＰＥＴフィルムの内の１種又は２種以上の組み合わせからなるものであり、前記継ぎ目に位置する隣接する前記防水シートの長手方向の端部と端部は、何れも前記防水シートの長手方向に沿って前記改質アスファルト層が施工前から欠落し、前記シート部材が露出しているものであり、前記帯状部材は、前記塗膜防水材が透過する複数の開口部を備え、前記複数の開口部に前記塗膜防水材が侵入して固化しているものである。
【０００６】
また、請求項３記載の防水シートは、シート部材と、該シート部材の裏面に改質アスファルトで形成された改質アスファルト層とを備えた帯状の防水シートであって、前記防水シートの前記シート部材は、合成繊維、ガラス繊維、ＰＥＴフィルムの内の１種又は２種以上の組み合わせからなるものであり、前記防水シートの長手方向の両端部は、前記防水シートの長手方向に沿って前記改質アスファルト層が欠落し、前記シート部材が露出しているものである。
【発明の効果】
【０００７】
請求項１記載の防水シートのラップ接合方法によれば、継ぎ目に位置する隣接する防水シートの長手方向の端部と端部は、何れも防水シートの長手方向に沿って改質アスファルト層が欠落し、シート部材が露出しているため、改質アスファルト層のアスファルトがブリード（染み出し）しても、露出しているシート部材により遮断され、継ぎ目より改質アスファルト層のアスファルトがブリード（染み出し）することが防止され、しかも、継ぎ目に位置する隣接する防水シートの長手方向の端部と端部は、何れも防水シートの長手方向に沿って改質アスファルト層が欠落し、シート部材が露出しているため、継ぎ目の段差を小さくすることができる。
【０００８】
また、請求項２記載の防水シートのラップ接合方法によれば、継ぎ目に位置する隣接する防水シートの長手方向の端部と端部は、何れも防水シートの長手方向に沿って改質アスファルト層が欠落し、シート部材が露出しているため、改質アスファルト層のアスファルトがブリード（染み出し）しても、露出しているシート部材により遮断され、継ぎ目より改質アスファルト層のアスファルトがブリード（染み出し）することが防止され、しかも、継ぎ目に位置する隣接する防水シートの長手方向の端部と端部は、何れも防水シートの長手方向に沿って改質アスファルト層が欠落し、シート部材が露出しているため、継ぎ目の段差を小さくすることができ、更に、帯状部材の複数の開口部に塗膜防水材が侵入して固化するため、継ぎ目の接合状態を強固にすることができる。
【０００９】
また、請求項３記載の防水シートによれば、継ぎ目に位置する隣接する防水シートの長手方向の端部と端部は、何れも防水シートの長手方向に沿って改質アスファルト層が欠落し、シート部材が露出しているため、改質アスファルト層のアスファルトがブリード（染み出し）しても、露出しているシート部材により遮断され、継ぎ目より改質アスファルト層のアスファルトがブリード（染み出し）することが防止され、しかも、継ぎ目に位置する隣接する防水シートの長手方向の端部と端部は、何れも防水シートの長手方向に沿って改質アスファルト層が欠落し、シート部材が露出しているため、継ぎ目の段差を小さくすることができる。
【実施例】
【００１０】
本発明の一実施例の防水シート及び防水シートのラップ接合方法を図面を参照して説明する。
図１乃至図４において、１は帯状の防水シ−トで、帯状の防水シ−ト１は、上面が合成繊維であるシート部材１１、このシート部材１１の下面にガラス繊維であるシート部材１２、このシート部材１２の裏面に改質アスファルトで形成された改質アスファルト層１３、この改質アスファルト層１３を覆うポリエステル等の合成繊維のフィルム（又は不織布）１４と、施工面側に位置する面（本実施例では、フィルム１４）に部分的に設けられた粘着層１５（粘着層１５は、例えば、改質アスファルトである。）を備えている。
【００１１】
防水シ−ト１においては、合成繊維であるシート部材１１、ガラス繊維であるシート部材１２の順序で積層したが、逆に、ガラス繊維であるシート部材１１、合成繊維であるシート部材１２の順序で積層しても良く、また、シート部材１１、シート部材１２の何れか一方を省略しても良く、また、シート部材１１又はシート部材１２をＰＥＴフィルムでも良く、シート部材１１、１２は、合成繊維、ガラス繊維、ＰＥＴフィルムの内の１種又は２種以上の組み合わせからなるものである。
また、防水シート１の長手方向の両端部は、図３及び図４に示すように、防水シート１の長手方向に沿って改質アスファルト層１３及びフィルム１４が欠落し、シート部材１２が露出している。更に、繋ぎ目に位置する改質アスファルト層１３の層は、図３に示すように薄層に形成され、繋ぎ目の段差を極力なくすようにしている。
なお、本願発明にあっては、防水シ−ト１は、少なくとも、上面が合成繊維、ガラス繊維、ＰＥＴフィルムの内の１種又は２種以上の組み合わせからなるシート部材１１と、該シート部材１１の裏面に改質アスファルトで形成された改質アスファルト層１３を備えたものであれば良く、防水シ−ト１の長手方向の両端部は、防水シート１の長手方向に沿って改質アスファルト層１３が欠落し、シート部材１１が露出しているものであれば良い。また、図２及び図３に示す１６は、離型紙である。
【００１２】
また、図３に示すように、防水シート１の施工面側に位置する面（本実施例では、フィルム１４）の粘着層１５が設けられていない部位（例えば、図２で示すＸ）は連通するようになっている。改質アスファルトの層１３の改質アスファルトは、合成ゴムあるいは合成樹脂を加えてアスファルトの性質を改良したもので、本実施例にあっては、特に、ブロ−ンとワックスを混入した改質アスファルトが良い。
【００１３】
従って、防水シート１の離型紙１６を剥がし、図５に示すように、防水シート１を予め所定のプライマーを塗布し乾燥させた施工面２に粘着層１５を介して付着させると共に、防水シート１の長手方向の端部と端部とを重ねて（例えば、図６で示すＹ）施工面２に付着させる。かかる場合、図４に示すように、防水シート１の長手方向の端部と端部とを重ねた部分に係止部材（例えば、釘、ステープル、アンカーボルト等である。）４を施工面２に打ち付けて防水シート１を施工面２に固定するようにしても良い。なお、特に、継ぎ目に位置する隣接する防水シート１の長手方向の端部と端部は、何れも防水シート１の長手方向に沿って改質アスファルト層１３が欠落し、シート部材１２が露出しているため、改質アスファルト層１３のアスファルトがブリード（染み出し）しても、露出しているシート部材１２により遮断され、継ぎ目より改質アスファルト層１３のアスファルトがブリード（染み出し）することが防止され、しかも、継ぎ目に位置する隣接する防水シート１の長手方向の端部と端部は、何れも防水シート１の長手方向に沿って改質アスファルト層１３が欠落し、シート部材１２が露出しているため、図６及び図７に示すように、継ぎ目の段差を小さくすることができる。
【００１４】
そして、図８及び図９に示すように、防水シート１の長手方向の端部と端部との重ね部の上面の継ぎ目を帯状部材５で覆うようにする。この帯状部材５は、後述する塗膜防水材６が透過する複数の開口部５１を備え、複数の開口部５１に塗膜防水材６が侵入して固化する。帯状部材５には、望ましくは、粘着材を塗布し、防水シート１の長手方向の端部と端部との重ね部の上面の継ぎ目に容易に接着できるようにする。
次に、防水シート１の上に、塗膜防水材６を塗布する（図１０参照）。塗膜防水材（塗膜防水材６は、例えば、周知のウレタンゴム系、アクリルゴム系、クロロプレンゴム系、アクリル樹脂系、ゴムアスファルト系等である。
その結果、帯状部材５の複数の開口部５１に塗膜防水材６が侵入して固化するため、継ぎ目の接合状態を強固にすることができる。
【図面の簡単な説明】
【００１５】
【図１】図１は、本発明の一実施例の防水シ−トの概略的平面図である。
【図２】図２は、図１の２−２線による概略的断面図である。
【図３】図３は、図１の防水シ−トの離型紙が剥がれる状態を示す概略的斜視図である。
【図４】図４は、図３の４−４線による概略的断面図である。
【図５】図５は、図１の防水シ−トの長手方向の端部と端部とを重ねて施工面に付着させた状態を示す概略的斜視図である。
【図６】図６は、図５の概略的平面図である。
【図７】図７は、図６の７−７線による概略的断面図である。
【図８】図８は、図５の防水シートの長手方向の端部と端部との重ね部の上面の継ぎ目を帯状部材で覆う状態を示す概略的斜視図である。
【図９】図９は、図８の９−９線による概略的断面図である。
【図１０】図１０は、図９の防水シートの上に塗膜防水材を塗布した状態を示す概略的断面図である。
【符号の説明】
【００１６】
１  ・・・・・防水シ−ト
２  ・・・・・施工面
５  ・・・・・帯状部材
６  ・・・・・塗膜防水材
１３  ・・・・・粘着層
５１  ・・・・・開口部
【図１】
0004833659.tif 000002
【図２】
0004833659.tif 000003
【図３】
0004833659.tif 000004
【図４】
0004833659.tif 000005
【図５】
0004833659.tif 000006
【図６】
0004833659.tif 000007
【図７】
0004833659.tif 000008
【図８】
0004833659.tif 000009
【図９】
0004833659.tif 000010
【図１０】
0004833659.tif 000011